(57)【要約】 【課題】頭部の高さが調整可能で、多機能の棟金具を提供する。【解決手段】この棟金具は、底面部と側面部とから成り棟瓦固定用木材を保持する頭部(10)と、この頭部の底面部から下方に向けて延長されこの延長方向に離間して形成される幅方向への切り欠きの箇所で棟瓦固定用木材の延長方向と直交する方向に互いに離間するように折り曲げられる１対の脚板から成る脚部(20)とを備えている。そして、頭部の底面部は、保持対象の棟瓦固定用木材の長手方向と幅方向とに沿って適宜な距離離間しかつこの底面部の中央部分に相互の連結部分を有する第１，第２の部分から成り、側面部(12,13) は底面部に対して折り曲げ自在に連結され、棟瓦固定用木材の長手方向に沿って互いに分離された複数の側板(12a,12b,13a,13b) から成り、１対の脚板(21,22) は底面部の第１，第２の部分の相互の連結部分を除く箇所に連結される。【選択図】  図１
2005299225.tif 000002
【特許請求の範囲】
【請求項１】
底面部と側面部とから成り棟瓦固定用木材を保持する頭部と、この頭部の底面部から下方に向けて延長されこの延長方向に離間して形成される幅方向への切り欠きの箇所において前記棟瓦固定用木材の延長方向と直交する方向に互いに離間するように折り曲げられる１対の脚板から成る脚部とを備えた棟金具において、
前記頭部の底面部は、前記保持対象の棟瓦固定用木材の長手方向と幅方向とに沿って適宜な距離離間しかつこの底面部の中央部分に相互の連結部分を有する第１，第２の部分から成ることと、
前記側面部は前記底面部に対して折り曲げ自在に連結されると共に、前記棟瓦固定用木材の長手方向に沿って互いに分離された複数の側板から成ることと、
前記１対の脚板は、前記底面部の第１，第２の部分の相互の連結部分を除く箇所に連結されたことを特徴とする棟金具。
【請求項２】
請求項１において、
前記棟金具は、打ち抜きとプレス加工によって成型された１枚の金属板を折り曲げることにより完成させた立体構造を有することを特徴とする棟金具。
【請求項３】
請求項１又は２のいずれかにおいて、
前記頭部の側面部の複数の側板のうち少なくとも二つは、斜め下方に折り曲げられて貫板に固定されることを特徴とする棟金具。
【請求項４】
請求項１乃至３のいずれか一つにおいて、
前記頭部の側面部の複数の側板はすべてほほ水平方向に延長され、棟トタンを保持するための平板の保持に使用されることを特徴とする棟金具。
【請求項５】
請求項１乃至４のいずれかにおいて、                                  前記１対の脚部は、連結部の下方において拡幅部分が形成され、この拡幅部分に屋根への固定用釘穴が形成されたことを特徴とする棟金具。
【発明の詳細な説明】
【技術分野】
【０００１】
本発明は、屋根の頂部を覆う棟瓦を固定するのに使用される棟金具に関するものであり、特に、使用する瓦の種類に応じて頭部の高さと形状を現場で変更できるようにした棟金具に関するものである。
【背景技術】
【０００２】
従来、屋根の頂部で棟瓦を固定するための器具として棟金具が使用されている。この種の棟金具は、例えば実公平７−３２７１６号公報の図４に従来例として記載されているように、棟瓦固定用木材を保持する上向きのコの字形状を呈する頭部と、この頭部の下に延長される所定長の胴部と、この胴部の下方に左右に開いた状態で取付けられ、屋根への固定に使用される脚部から構成される。
【０００３】
上記実公平７−３２７１６号公報には、実質的な胴部の長さ、したがって、脚部の取付け箇所からの頭部の高さを、瓦の種類などに応じて現場で調整可能とした棟金具が開示されている。すなわち、図９の斜視図に示すように、上向きのコの字形状を呈する頭部５１の下方に一定長の胴部５２が取付けられ、この胴部５２の下方にさらに脚部５３が取付けられる。この脚部５３を構成する２枚の脚板５３ａ，５３ｂは、使用前は、図中に点線で示すように、互いに真っ直ぐな閉脚状態に保たれる。脚板５３ａ，５３ｂのそれぞれには、その長さ方向に離散させて幅方向の切り欠き５３ｃが複数形成されている。
【０００４】
この棟金具の使用時には、曲げ剛性を減少させた切り欠き部５３ｃの形成箇所で、２枚の脚板を相互に離間するように湾曲させることにより、図９に実線で示すような開脚の状態にする。この開脚の状態で、釘穴５３ｄを通して釘を打ち込むことによりこの棟金具を屋根の頂部に固定する。次いで、図中の矢印で示すＺ軸方向に延長される棟瓦固定用木材が頭部５１に保持され、釘穴５１ｃを通して打ち込まれる釘によりこの頭部５１に固定される。この棟金具は、屋根の頂部の稜線方向に沿って、適宜な間隔で複数設置される。
【０００５】
この棟金具は、製造コストを減少させるために、１枚の金属板を折り曲げて作られる。すなわち、図１０に示すように、打ち抜きとプレス加工によって成型した１枚の金属板を点線に沿って折り曲げることにより、図９に示したような立体形状の棟金具が作成される。なお、図１０において、５１ａは頭部の底板、５１ｂは頭部の側板である。なお、図１０において、幅方向への切り欠きや釘穴は、便宜上、図示が省略されている。
【０００６】
【特許文献１】実公平７−３２７１６号公報
【発明の開示】
【発明が解決しようとする課題】
【０００７】
図９と図１０に示した頭部の高さを調整できる従来の棟金具は、連結部５２ａの長さで決まる固定長の胴部５２の下方に、可変長の脚部５３を取付けた構造となっている。このため、図９に示すように１枚の金属板を折り曲げて作るという方法を採用する限り、胴部５２の長さをゼロにすることができないという問題がある。この胴部をゼロにしたいという要求は、プレハブ住宅用の薄型のスレート瓦を葺く場合などにしばしば生じる。コの字形状の頭部と脚部を別々に作成し、溶接やネジ止めによって相互を連結する製造方法に変更すれば、胴部を省略でき、従ってその長さをゼロにできる。しかしながら、この製造方法では、図１０に示すように打ち抜きとプレス加工によって成型した１枚の金属板を折り曲げて立体構造を完成させるという製造方法に比べて、溶接やネジ止めなどの接合工程が必要になり、製造コストが上昇するという問題がある。
【０００８】
また、従来の棟金具は、棟瓦固定用木材の保持という単一の機能しか備えていない。すなわち、貫板など種々の部品が固定される屋根の頂部に設置されるという利点を十分に活かしきれていないという問題もある。さらに、従来の棟金具の構造では、棟瓦を止めるために上方から下方に向けて打ち込まれる釘が長すぎて保持中の棟瓦固定用木材を貫通した時に、頭部の底板に当たってしまい固定の機能が阻害されてしまうという問題があった。さらに、従来の棟金具では、棟瓦の固定専用となっており、棟瓦ではなく棟トタンを固定する用途には使用できないという問題がある。
【０００９】
従って、本発明の一つの目的は、頭部の高さを胴部がゼロの場合も含めて調整可能な棟金具、特に、１枚の金属板を折り曲げて立体構造を完成させる製造方法が適用可能な棟金具を提供することにある。本発明の他の目的は、棟瓦固定用木材を保持するという従来の機能に加えて、他の部品を保持するという新たな機能も兼ねた多機能の棟金具を提供することにある。本発明のさらに他の目的は、上方から打ち込まれる長すぎる釘に対して逃げの空間を提供可能な棟金具を提供することにある。本発明のさらに他の目的は、棟瓦ではなく棟トタンを設置する場合にも適用できる万能の棟金具を提供することにある。
【課題を解決するための手段】
【００１０】
上記従来技術の課題を解決する本発明の棟金具は、底面部と側面部とから成り棟瓦固定用木材を保持する頭部と、この頭部の底面部から下方に向けて延長されこの延長方向に離間して形成される幅方向への切り欠きの箇所において棟瓦固定用木材の延長方向と直交する方向に互いに離間するように折り曲げられる１対の脚板から成る脚部とを備えている。そして、上頭部の底面部は、保持対象の棟瓦固定用木材の長手方向と幅方向とに沿って適宜な距離離間しかつこの底面部の中央部分に相互の連結部分を有する第１，第２の部分から成り、上記頭部の側面部は底面部に対して折り曲げ自在に連結されると共に、棟瓦固定用木材の長手方向に沿って互いに分離された複数の側板から成り、上記１対の脚板は頭部の底面部の第１，第２の部分の相互の連結部分を除く箇所に連結されている。
【発明の効果】
【００１１】
本発明の棟金具においては、１対の脚板が、底面部の中央部分の連結部分を除く箇所に連結されているので、頭部の高さを胴部がゼロの場合をもめて調整できる。特に、打ち抜きとプレス加工によって成型された１枚の金属板を折り曲げて立体構造を完成する製造方法が採用でき、製造コストが低減されるという効果が奏される。
【００１２】
また、頭部の底面部の第１，第２の部分に連なる側面部は、棟瓦固定用木材の長手方向に沿って互いに分離された複数の側板から構成されている。このため、棟瓦固定用木材の保持に２個の側板を割り当て、残りの側板を他の部品の保持用に割り当てることが可能になるという効果が奏される。
【００１３】
さらに、本発明の棟金具では、頭部の底面部が保持対象の棟瓦固定用木材の長手方向と幅方向に沿って適宜な距離離間しかつ頭部の棟瓦固定用木材の長手方向の中央部において互いに連結される第１，第２の部分から構成されので、第１，第２の部分の前後に逃げ用の空間が形成される。この結果、棟瓦を止める際に釘が長すぎて保持中の棟瓦固定用木材を貫通した場合、この逃げ用の空間に釘の先端部を誘導することにより、釘の先端部が底面部に衝突する事態を回避できるという効果が奏される。
【００１４】
さらに本発明の棟金具は、頭部の側面部がその底面部に対して折り曲げ自在に連結されているので、複数の側板のすべてをほぼ水平方向に延長させることにより、棟瓦の保持用としてだけではなく、棟トタンの保持用としても使用することができる。
【発明を実施するための最良の形態】
【００１５】
本発明の一つの好適な実施の形態によれば、棟金具が打ち抜きとプレス加工によって成型された１枚の金属板を折り曲げることによって立体構造を完成するという製造方法が適用されるので、安価な製造コストの棟金具を提供できるという効果が奏される。
【００１６】
本発明の他の好適な実施の形態によれば、頭部の側面部の複数の側板のうち少なくとも二つは、斜め下方に折り曲げられて貫板に固定されることにより、棟瓦固定用木材保持の機能に加えて貫板保持の機能も有するという効果が奏される。
【００１７】
本発明のさらに他の好適な実施の形態によれば、１対の脚板のそれぞれは、連結部の下方において拡幅部分が形成され、この拡幅部分に屋根への固定用釘穴が形成されることにより、この棟金具を３〜４ｃｍの比較的小さな幅の垂木の上に固定することが可能になるという効果が奏される。
【００１８】
さらに本発明のさらに他の好適な実施の形態によれば、頭部の複数の側板のすべてをほぼ水平状態に保つことにより、棟瓦ではなく棟トタンの保持用として使用される。
【実施例】
【００１９】
図１は本発明の一実施例の棟金具の構成を示す斜視図である。この実施例の棟金具は概ね上向きのコの字形状を呈する頭部１０と、この頭部１０からその下方に向けて延長される脚部２０とから構成されている。脚部２０を構成する２枚の脚板２１と２２には、幅方向への切り欠き２１ａ，２２ａが脚板２１，２２のそれぞれの長手方向に適宜な距離で離間して複数形成されている。
【００２０】
図２の平面図を参照すると、頭部１０の底面部１１は、矢印で示す棟瓦固定用木材の長手方向（Ｚ軸）に沿って距離ΔＬだけ離間すると共に、この長手方向に直交する棟瓦固定用木材の幅方向にΔＷだけ離間した第１，第２の部分１１ａ，１１ｂと、この底面部１１の中央部分において第１，第２の部分１１ａ，１１ｂを連結する相互の連結部分１１ｃとから構成されている。底面部１１の第１の部分１１ａに折り曲げ自在に連結される側面部１２は、棟瓦固定用木材の長手方向に沿って分離された２個の側板１２ａ，１２ｂから構成されている。同様に、底面部１１の第２の部分１１ｂに折り曲げ自在に連結される側面部１３は、棟瓦固定用木材の長手方向に沿って分離された２個の側板１３ａ，１３ｂから構成されている。脚部２０の２枚の脚板２１と２２は、底面部１１の第１，第２の部分の相互の連結部分１１ｃを除く箇所に折り曲げ自在に連結されている。
【００２１】
図１、図２に示した本実施例の棟金具は、図３に示すように打ち抜き・プレス成型された１枚の金属板を点線のまわりに折り曲げることによって作成される。図３では、脚板２１と２２をそれぞれ、点線で示した底面部の第１，第２の部分１１ａ，１１ｂとの境界線のまわりに紙面の裏側に向けて角度９０°だけ折り曲げ、４枚の側板１２ａ，１２ｂ，１３ａ，１３ｂを点線で示した底面部の第１，第２の部分１１ａ，１１ｂとの境界線のまわりに紙面の表側に向けて角度９０°だけ折り曲げることにより、図１と図２に示した立体構造の棟金具が作成される。
【００２２】
なお、図３では便宜上、打ち抜きとプレス加工によって一時に形成される複数の切り欠きと釘穴の図示が省略されている。また、底面部１１と側面部１２，１３間の点線で示す折り曲げ自在な連結箇所には、厚みを減らして曲げ剛性を低下させるための溝が形成されているが、便宜上この溝の図示が省略されている。
【００２３】
図１を参照すると、脚板２１と２２は頭部１０からあるていど離れた箇所で幅が拡大されるという拡幅が行われている。そして、この拡幅部分に屋根への固定用釘穴２１ｂ，２２ｂが形成される。これは、この棟金具の脚部を釘で固定する垂木の幅が典型的には３ｃｍ〜４ｃｍの範囲であることを考慮したものである。すなわち、脚板２１，２２に形成した釘穴の間隔が垂木の幅よりも大きくなって、垂木への釘打ちによる固定ができなくなるという問題を解決するための構成である。すなわち、脚板２１，２２に拡幅部分を形成し、この拡幅部分に釘穴２１ｂ，２２ｂを形成することにより、釘穴２１ｂと２２ｂとの間隔を、通常３ｃｍ〜４ｃｍという垂木の幅よりも小さな値に設定したものである。
【００２４】
図４は、頭部の形状の一例を示す斜視図である。この頭部の形状は、頭部の側板１２ａ，１３ｂを直立させて棟瓦固定用木材の保持用に割り当てると共に、側板１３ａ，１２ｂをほぼ水平状態に保つことにより、これらの側板１３ａ，１２ｂを貫板などの平板の保持用に割り当てるようにした場合のものである。これについては、図６を参照しながら後述する。
【００２５】
図５は、頭部の他の形状の一例を示す斜視図である。この頭部の形状は、頭部の全ての側板１２ａ，１２ｂ，１３ａ，１３ｂをほぼ水平状態に保持することにより、全ての側板を棟トタンの保持用に割り当てるようるした場合のものである。これについては、図７を参照しながら後述する。                                                                
【００２６】
図６は、この実施例の棟金具を屋根の頂部に設置して棟瓦の保持に使用する様子を他の部品との関連と共に示す断面図である。まず、頭部から下方の開脚部分までの長さが所望の値となるように、開脚状態にしたこの実施例の棟金具が幅３〜４ｃｍの垂木Ａに釘で固定される。次いで、瓦桟Ｂと瓦Ｃを順次取付け、この瓦Ｃの上に貫板、平割板などの平板Ｄを載置する。この平板Ｄに対して斜め下方に折り曲げた側板１２ｂと１３ａの釘穴を通してネジを挿入し、螺合させることにより、平板Ｄを棟金具の側板１２ｂと１３ａに固定する。
【００２７】
次に、棟金具の頭部２０に、棟瓦固定用木材Ｅを載置し、側板１２ａ，１３ｂに形成されている釘穴を通して釘を打ち込むことにより、棟瓦固定用木材Ｅを棟金具の頭部に固定する。こののち、平板Ｄの上に面土用瓦Ｆが載置され、この面土用瓦Ｆに予め作られている釘穴を通して釘が打ち込まれることにより、面土用瓦Ｆが平板Ｄに固定される。続いて、面土用瓦Ｆの上に棟瓦Ｇを載置する。最後に、棟瓦Ｇの頂部に形成されている釘穴を通して、棟瓦固定用木材Ｅに向けて長目の釘Ｈが下方に向けて打ち込まれる。
【００２８】
この際、図６に例示するように、釘Ｈが長すぎると、その先端部が棟金具の頭部の底板に衝突してしまい、棟瓦Ｇの固定に支障が生じる。この実施例の棟金具では、底面部１１の第１，第２の部分１１ａ，１１ｂが棟瓦固定用木材の長手方向と幅方向にそれぞれ、ΔＬ，ΔＷだけ離間しているため、釘の先端部を逃がすための合計２ΔＬ×ΔＷの面積の空間が、底面部１１の周辺部に形成される。この逃げの空間に向けて、釘を斜めに打ち込むことにより、釘が長すぎる場合の上記問題を解決することができる。
【００２９】
図７は、この実施例の棟金具を屋根の頂部に設置し、棟瓦ではなく棟トタンの保持に使用する様子を他の部品との関連と共に示す断面図である。この例では、頭部のすべての側板をほぼ水平状態に保った頭部の形状の棟金具が使用される。瓦桟Ｂと瓦Ｃを順次取付けるところまでは、図６に関して説明したと同様である。こののち、貫板などの平板Ｄに対して側面部の側板１２ａ，１２ｂ，１３ａ，１３ｂの釘穴を通してネジを挿入し、螺合させることにより、平板Ｄを棟金具の側面部の側板１２ａ，１２ｂ，１３ａ，１３ｂに固定する。次いで、棟金具の上に棟トタンＩを被せ、棟トタンを通して平板Ｄに釘を打ち込むことにより、平板Ｄに棟トタンＩを固定する。
【００３０】
図８は、本発明の他の実施例の棟金具の構成を示す平面図である。この実施例では、底面部１１の第１の部分１１ａと、第２の部分１１ｂとを中心部分で連結する連結部１１ｃが、適宜な幅ｕを有している。この図５の構成を連結部の幅ｕが適宜な値を有する一般的な構成とすると、図１〜図３を参照して説明した最初の実施例は連結部分の幅ｕがゼロとなるような特殊な構成に該当する。
【００３１】
以上、頭部の底板部を平坦にする構成を例示した。しかしながら、底面部１１の連結部１１ｃに断面が半円形状で棟瓦固定用木材の長手方向に延長される溝を形成し、この溝に断面が円柱形状の鉄筋などを保持させる機構を付加することもできる。
【図面の簡単な説明】
【００３２】
【図１】本発明の実施例の頭部の高さが調整可能な棟金具の構成を示す斜視図である。
【図２】上記実施例の棟金具の平面図である。
【図３】上記実施例の棟金具の立体構造を作成する前の裁断されプレスされた一枚の金        属板の形状を示す平面図である。
【図４】上記実施例の棟金具の変更可能な頭部の形状の一例を示す斜視図である。
【図５】上記実施例の棟金具の変更可能な頭部の形状の他の一例を示す斜視図である。
【図６】上記実施例の棟金具を屋根に設置し棟瓦の固定に使用する状態を他の部品との        関連と共に示す断面図である。
【図７】上記実施例の棟金具を屋根に設置し棟トタンの固定に使用する状態を他の部品        との関連と共に示す断面図である。
【図８】本発明の他の実施例の棟金具の構成を示す平面図である。
【図９】従来の頭部の高さが調整可能な棟金具の構成を示す斜視図である。
【図１０】上記従来例の棟金具の立体構造を作成する前の裁断されプレスされた一枚            の金属板の形状を示す平面図である。
【符号の説明】
【００３３】
10      頭部
11      底面部
11a,11b 底面部の第１, 第２の部分
12a,12b,13a,13b 側面部の側板
20      脚部
21,22   脚板
21a,22a 切り欠き
21b,22b 釘穴
A       垂木
C       瓦
D       貫板などの平板
E       棟瓦固定用木材
F       面土用瓦
G       棟瓦
H       釘
I       棟トタン
ｕ      底面部の連結部の幅
【図１】
2005299225.tif 000003
【図２】
2005299225.tif 000004
【図３】
2005299225.tif 000005
【図４】
2005299225.tif 000006
【図５】
2005299225.tif 000007
【図６】
2005299225.tif 000008
【図７】
2005299225.tif 000009
【図８】
2005299225.tif 000010
【図９】
2005299225.tif 000011
【図１０】
2005299225.tif 000012